(57)【要約】【課題】スラブ上側の立上り壁とスラブ下側の下がり壁とを簡易かつ安価に構築することを可能としたプレキャスト壁部材およびスラブ上側の立上り壁とスラブ下側の梁とを簡易かつ安価に構築することを可能としたプレキャスト梁部材を提案することを課題とする。【解決手段】スラブの上面に立設される立上り部１１と、スラブの下面から垂れ下がる下り壁１２と、立上り部１１と下り壁１２との間に形成されてなるスラブ接続部１３と、を備える鉄筋コンクリート製のプレキャスト壁部材１であって、スラブ接続部１３には、開口部１５が形成されている。【選択図】図１
2010084459.tif 000002
【特許請求の範囲】
【請求項１】
スラブの上面に立設される立上り部と、
前記スラブの下面から垂れ下がる壁部と、
前記立上り部と前記壁部との間に形成されてなるスラブ接続部と、を備える鉄筋コンクリート製のプレキャスト壁部材であって、
前記スラブ接続部に、開口部が形成されていることを特徴とするプレキャスト壁部材。
【請求項２】
前記立上り部から張り出す係止部を備えることを特徴とする、請求項１に記載のプレキャスト壁部材。
【請求項３】
スラブの上面に立設される立上り部と、
前記スラブの下面に横架される梁部と、
前記立上り部と前記梁部との間に形成されてなるスラブ接続部と、を備える鉄筋コンクリート製のプレキャスト梁部材であって、
前記スラブ接続部に、開口部が形成されていることを特徴とするプレキャスト梁部材。
【発明の詳細な説明】
【技術分野】
【０００１】
本発明は、プレキャスト壁部材およびプレキャスト梁部材に関する。
【背景技術】
【０００２】
集合住宅等において、バルコニーの外壁としてＡＬＣ（軽量気泡コンクリート）パネルを採用する場合がある。ＡＬＣパネルを利用した外壁は、窓枠（サッシ）の上部の下がり壁部分に使用している。一方、窓枠の下部の立上り部分は鉄筋コンクリートにより構成する場合が多い。
【０００３】
下がり壁として使用されるＡＬＣパネルには、例えば、特許文献１に示すように、内部にアンカー等の固定部材が埋設されている。ＡＬＣパネルの設置は、建物躯体の下面に設けられたアングル材等からなる支持材と、アンカーに螺着された取付治具とを介して行われる。
【０００４】
また、従来の立上り部分は、スラブのコンクリート打設時に同時に構築するか、完成したスラブの上面に後施工によりコンクリート打設することで構築することが多い。
【０００５】
【特許文献１】特開２００７−３０８８７４号公報
【発明の開示】
【発明が解決しようとする課題】
【０００６】
下がり壁の設置作業は、ＡＬＣパネルを持ち上げ、仮支持した状態で行う必要があり、施工に手間がかかる。
なお、スラブ下面に横架される梁を構築する場合は、一般的にスラブのコンクリート打設時に同時に構築するか、スラブの構築前に、予め横架させることで構築することが多い。そのため、梁の施工に手間がかかっていた。
【０００７】
また、立上り壁とスラブとに同時にコンクリートを打設する場合は、浮かし型枠となることから差筋管理、配筋工、型枠工等に手間が掛かることや、端材が多数発生することなどにより、工期短縮化や施工費用の低減化の妨げになる場合があった。
一方、立上り壁をスラブ構築後に構築する場合は、打ち継ぎ部からの漏水に対する処理に手間や費用がかかっていた。
【０００８】
本発明は、前記の問題点を解決することを目的とするものであり、スラブ上側の立上り部と下側の下がり壁を簡易かつ安価に構築することを可能としたプレキャスト壁部材を提案することを課題とする。また、スラブ上側の立上り部と下側の梁部を簡易かつ安価に構築することを可能としたプレキャスト梁部材を提案することを課題とする。
【課題を解決するための手段】
【０００９】
前記課題を解決するために、本発明は、スラブの上面に立設される立上り部と、前記スラブの下面から垂れ下がる壁部と、前記立上り部と前記壁部との間に形成されてなるスラブ接続部と、を備える鉄筋コンクリート製のプレキャスト壁部材であって、前記スラブ接続部に、開口部が形成されていることを特徴としている。
【００１０】
かかるプレキャスト壁部材は、スラブ上側の立上り部と、スラブ下側の壁部があらかじめ一体に構成されているため、立上り部と下がり壁を同時に構築することができ、施工性に優れている。そのため、早期施工が可能となり、その結果、施工費の削減が可能となる。
【００１１】
また、スラブ接続部に形成された開口部にスラブコンクリートが流入するので、スラブとプレキャスト壁部材との一体化を容易に行うことが可能である。さらに、スラブとの一体化により、止水性能が向上するので、漏水防止のために要する手間や材料等を省略あるいは削減することが可能である。
【００１２】
また、プレキャスト壁部材に前記立上り部から張り出す係止部を具備させれば、係止部を既設部材（例えば、既設の梁、梁主筋、スラブ筋、型枠等）に係止するだけでプレキャスト壁部材の配置作業が完了するため、施工を容易に行うことが可能となる。
【００１３】
また、本発明のプレキャスト梁部材は、スラブの上面に立設される立上り部と、前記スラブの下面に横架される梁部と、前記立上り部と前記梁部との間に形成されてなるスラブ接続部と、を備える鉄筋コンクリート製のプレキャスト梁部材であって、前記スラブ接続部に、開口部が形成されていることを特徴としている。
【００１４】
かかるプレキャスト梁部材は、スラブ上側の立上り部と、スラブ下側の梁とがあらかじめ一体に構成されているため、立上り部と梁を同時に構築することができ、施工性に優れている。そのため、早期施工が可能となり、その結果、施工費の削減が可能となる。
【発明の効果】
【００１５】
本発明のプレキャスト壁部材およびプレキャスト梁部材によれば、簡易かつ安価にスラブ上側の立上り壁とスラブ下側の下がり壁または梁とを構築することを可能となる。
【発明を実施するための最良の形態】
【００１６】
＜プレキャスト壁部材＞
以下、本発明に係るプレキャスト壁部材の好適な実施の形態について、図面を参照して詳細に説明する。
【００１７】
プレキャスト壁部材１は、図１に示すように、立上り部１１と、下り壁（壁部）１２と、スラブ接続部１３と、を備えてなる鉄筋コンクリート製のプレキャスト部材である。
【００１８】
本実施形態では、プレキャスト壁部材１を、サイト内において製造するが、工場等の他の場所で製作されたものを搬入してもよい。
【００１９】
立上り部１１は、スラブ２の上面に立設される部分である（図２（ｃ）参照）。この立上り部１１は、プレキャスト壁部材１の上部分を構成している。
立上り部１１には、直交するハーフＰＣａ大梁３の上面に立設される部分が左右両端から張り出している。この張り出し部分は、ハーフＰＣａ大梁３に載置される係止部１４として機能する。プレキャスト壁部材１は、この係止部１４をハーフＰＣａ大梁３に係止した状態で配設される（図４参照）。
【００２０】
下り壁１２は、スラブ２の下面から垂れ下がる部分である（図２（ｃ）参照）。下り壁１２はプレキャスト壁部材１の下部分を構成している。
下り壁１２には、必要に応じて壁厚方向に貫通する貫通孔１２ａが形成されている。なお、貫通孔１２ａの周囲には、図示しないスリーブ補強筋が配筋されている。
【００２１】
スラブ接続部１３は、立上り部１１と下り壁１２との間に位置する部分である。
スラブ接続部１３には、複数（本実施形態では４箇所）の開口部１５，１５，…が横方向に所定の間隔をあけて形成されている。
【００２２】
開口部１５は、図１および図２（ａ）に示すように、正面視矩形を呈している。また、開口部１５の横断面形状は、台形を呈している。つまり、開口部１５は、プレキャスト壁部材１の一方の面側の開口面積が、他方の面の開口面積より大きくなるように形成されている。また、開口部１５には、プレキャスト壁部材１のメッシュ筋（鉄筋１６）の一部が露出している。
なお、開口部１５の形状は限定されるものではなく、適宜形成することが可能である。
【００２３】
プレキャスト壁部材１を利用した建物の施工方法は、プレキャスト壁部材配置工程と、配筋工程と、コンクリート打設工程と、を備えて構成されている（図２参照）。
【００２４】
プレキャスト壁部材配置工程は、あらかじめサイト内において製造されたプレキャスト壁部材１を所定の位置に配置する工程である。
【００２５】
本実施形態では、図２（ａ）に示すように、隣接するハーフＰＣａ床２１，２１同士の間に形成された挿入溝２１ａにプレキャスト壁部材１を挿入するとともに、隣接する２本のハーフＰＣａ大梁３，３（図４参照）の間にプレキャスト壁部材１を横架させることでプレキャスト壁部材１を所定の位置に配置する。
このとき、プレキャスト壁部材１は、クレーン等の揚重機械により吊下げた状態で、上方から下降させることにより配置する。
【００２６】
本実施形態では、ハーフＰＣａ床２１を利用するものとし、スラブ上部２２の打設コンクリートと一体化させることでスラブ２の一部として利用するものとする（図２（ｃ）参照）。
なお、ハーフＰＣａ床２１の構成は限定されるものではなく、適宜公知の型枠を使用すればよい。
【００２７】
挿入溝２１ａは、図３に示すように、プレキャスト壁部材１の厚みよりも若干広く形成されている。
また、ハーフＰＣａ床２１の端部の上側角部が切り欠かれており、挿入溝２１ａの上部が上に向かうに従い幅が広くなるように拡幅されている。
【００２８】
挿入溝２１ａの上部が拡幅された断面形状により、プレキャスト壁部材１の挿入時の作業性が向上するとともに、スラブ３のコンクリート打設時に、コンクリートがプレキャスト壁部材１とハーフＰＣａ床２１との隙間に入り易くなるため、品質が向上する。
なお、挿入溝２１ａの断面形状は限定されるものではなく、必ずしも挿入溝２１ａの上部が拡幅されていなくてもよい。
【００２９】
挿入溝２１ａに挿通されたプレキャスト壁部材１は、図４に示すように、ハーフＰＣａ大梁３に、仮保持部材３１ａを介して係止部１４を係止するように配置されている。
【００３０】
さらに、プレキャスト壁部材１は、図３に示すように、下階に立設された支持部材Ａにより、下方から支持された状態で配置されている。なお、支持部材Ａは、下階の立上り部１１’上に立設させるとよい。
支持部材Ａによるプレキャスト壁部材１の下方からの支持が完了したら、仮保持部材３１ａは、取り外してもよい。
【００３１】
挿入溝２１ａとプレキャスト壁部材１の側面との間に形成された隙間は、遮蔽部材Ｂ１により遮蔽する。
【００３２】
遮蔽部材Ｂ１は、断面Ｌ字状の部材であって、Ｌ字断面の一片が隙間を遮蔽し、他片はプレキャスト壁部材１の側面に当接されている。遮蔽部材Ｂ１は、ボルトＢ３を介して固定された治具Ｂ２により、ハーフＰＣａ床２１に固定されている。
なお、遮蔽部材Ｂ１、治具Ｂ２の構成は限定されるものではなく、適宜設定することが可能である。
【００３３】
配筋工程は、図２（ｂ）に示すように、ハーフＰＣａ床２１の上面において、スラブ用鉄筋２３の配筋作業を行う工程である。
スラブ用鉄筋２３は、プレキャスト壁部材１の開口部１５に挿通された状態で配筋されている。
【００３４】
コンクリート打設工程は、スラブ用鉄筋２３が配筋されたハーフＰＣａ床２１の上面にスラブ上部２２となるコンクリートを打設する工程である。
【００３５】
コンクリートを打設する際は、開口部１５内にもコンクリートを充填する。
本実施形態では、スラブ上部２２へのコンクリート打設に伴い、ハーフＰＣａ大梁３の残りのコンクリート打設を行うものとする。コンクリートが硬化することで、プレキャスト壁部材１とスラブ２とハーフＰＣａ大梁３との一体化が実現される。
【００３６】
本実施形態のプレキャスト壁部材１によれば、予めスラブ２の上側の立上り部１１とスラブ２の下側の下り壁１２とが一体に構成されているため、所定の箇所に当該プレキャスト壁部材１を配置するのみで立上り部１１と下り壁１２とを構築することができる。したがって、簡易に施工を行うことができ、現場打ちにより立上り部を形成していた従来の施工方法と比較して、早期に施工を行うことができる。
【００３７】
また、開口部１５にスラブ２の打設コンクリートが流入（充填）し、固化することにより、プレキャスト壁部材１とスラブ２との一体化がなされる（図２（ｃ）参照）。
【００３８】
また、プレキャスト壁部材１に形成された開口部１５を利用してプレキャスト壁部材１とスラブ２とを隙間なく一体化するため、打ち継ぎ部からの漏水に対する対策工を省略することが可能となる。
【００３９】
また、立上り部１１の差筋管理、配筋工、型枠工等を要することなく、簡易に立上り部１１とスラブ２との一体化を行うことが可能なため、工期短縮化や施工費用の低減化が可能となる。
【００４０】
また、プレキャスト壁部材１として、サイト内において製造することで、工場生産のプレキャスト部材１を搬入する場合に要する運搬費用を削減することが可能となる。
また、下り壁１２に形成される貫通孔１２ａを、現地の状況に応じて所望の位置に形成することが可能となる。
【００４１】
＜プレキャスト梁部材＞  
次に、本発明に係るプレキャスト梁部材の好適な実施の形態について、図面を参照して詳細に説明する。
【００４２】
プレキャスト梁部材４は、図５に示すように、立上り部４１と、梁部４２と、スラブ接続部４３と、を備えてなる鉄筋コンクリート製のプレキャスト部材である。
【００４３】
本実施形態では、プレキャスト梁部材４を、サイト内において製造するが、工場等の他の場所で製作されたプレキャスト梁部材４を搬入してもよい。
【００４４】
立上り部４１は、スラブ２の上面に立設される部分である（図６（ｃ）参照）。立上り部４１は、プレキャスト梁部材４の上部分を構成している。
立上り部４１には、ハーフＰＣａ大梁３の上面に立設される部分が左右両端から張り出している。この張り出し部分は、ハーフＰＣａ大梁３に載置される係止部４４として機能する。プレキャスト壁部材４は、この係止部４４をハーフＰＣａ大梁３に係止した状態で配設される。
【００４５】
梁部４２は、建物の小梁を構成する部分であり、プレキャスト梁部材４の下部分を構成している。
梁部４２は、図６（ｃ）に示すように、所定の位置にプレキャスト梁部材４を配置すると、スラブ２の下面に横架される。
【００４６】
スラブ接続部４３は、立上り部４１と梁部４２との間に位置する部分である。スラブ接続部４３には、複数（本実施形態では４箇所）の断面矩形の開口部４５，４５，…が横方向に所定の間隔をあけて貫通している。
【００４７】
開口部４５には、プレキャスト梁部材４に打設された鉄筋４６の一部が露出している。
【００４８】
プレキャスト梁部材４を利用した建物の施工方法は、プレキャスト梁部材配置工程と、配筋工程と、コンクリート打設工程と、を備えて構成されている（図６参照）。
【００４９】
プレキャスト梁部材配置工程は、あらかじめサイト内において製造されたプレキャスト梁部材４を所定の位置に配置する工程である。
【００５０】
本実施形態では、図６（ａ）に示すように、ハーフＰＣａ床２１同士の間に形成された挿入溝２１ａに挿通させるとともに、プレキャスト梁部材４を、隣り合うハーフＰＣａ大梁３（図４参照）に横架することで所定位置に配置する。
このとき、プレキャスト梁部材４は、クレーン等の揚重機械により吊下げた状態で、上方から下降させることにより配置する。
【００５１】
挿入溝２１ａは、図６（ｂ）に示すように、プレキャスト梁部材４の梁部４２の厚みよりも若干広く形成されている。
なお、ハーフＰＣａ床２１の構成は、プレキャスト壁部材１の実施形態で示した内容と同様なため、詳細な説明は省略する。
【００５２】
挿入溝２１ａに挿通されたプレキャスト梁部材４は、下階に立設された支持部材により、下方から支持された状態で配置される（図３参照）。
また、プレキャスト梁部材４は、予め組み立てられたハーフＰＣａ大梁３の鉄筋に、係止部４４を係止するように配置されている（図４参照）。
【００５３】
挿入溝２１ａとプレキャスト梁部材２の側面との間に形成された隙間は、遮蔽部材Ｂ１により遮蔽する。
なお、遮蔽部材Ｂ１の構成は、プレキャスト壁部材１の実施形態で示した内容と同様なため、詳細な説明は省略する。
【００５４】
配筋工程は、図６（ｂ）に示すように、ハーフＰＣａ床２１の上面において、スラブ用鉄筋２３の配筋作業を行う工程である。
スラブ用鉄筋２３は、プレキャスト梁部材４の開口部４５に挿通させた状態で配筋される。
【００５５】
コンクリート打設工程は、スラブ用鉄筋２３が配筋されたハーフＰＣａ床２１の上面にスラブ上部２２となるコンクリートを打設する工程である。
【００５６】
スラブ上部２２となるコンクリートを打設すると、開口部４５内にもコンクリートが充填される。
本実施形態では、スラブ上部２２のコンクリート打設に伴い、ハーフＰＣａ大梁３の残りのコンクリート打設を行うものとする。コンクリートが硬化することで、プレキャスト梁部材４とスラブ２とハーフＰＣａ大梁３との一体化が実現される。
【００５７】
本実施形態のプレキャスト梁部材４によれば、予め上階の立上り部４１と下階の梁部４２とが一体に構成されているため、所定の箇所にプレキャスト梁部材４を配置するのみで立上り部４１と小梁４２とが構築される。そのため、建物の施工を簡易に行うことが可能となる。
また、従来現場打ちにより形成されていた立上り部の施工を早期に行うことができる。
【００５８】
この他、プレキャスト梁部材４による作用効果は、プレキャスト壁部材１の作用効果と同様なため、詳細な説明は省略する。
【００５９】
以上、本発明について、好適な実施形態について説明した。しかし、本発明は、前述の各実施形態に限られず、前記の各構成要素については、本発明の趣旨を逸脱しない範囲で、適宜設計変更が可能であることは言うまでもない。
例えば、係止部の構成は限定されるものではなく、適宜設定することが可能である。また、係止部は、必要に応じて形成すればよく、省略することも可能である。
【図面の簡単な説明】
【００６０】
【図１】本発明に係るプレキャスト壁部材の実施の形態を示す斜視図である。
【図２】（ａ）〜（ｃ）は、図１のプレキャスト壁部材を利用した建物の施工方法の各施工段階を示す断面図である。
【図３】図１のプレキャスト壁部材の設置状況を示す断面図である。
【図４】図１のプレキャスト壁部材の設置状況を示す正面図である。
【図５】本発明のプレキャスト梁部材の実施の形態を示す斜視図である。
【図６】（ａ）〜（ｃ）は、図５のプレキャスト梁部材を利用した建物の施工方法の各施工段階を示す断面図である。
【符号の説明】
【００６１】
１    プレキャスト壁部材
１１  立上り部
１２  下り壁（壁部）
１３  スラブ接続部
１４  係止部
１５  開口部
２    スラブ
４    プレキャスト梁部材
４１  立上り部
４２  梁部
４３  スラブ接続部
４４  係止部
４５  開口部
【図１】
2010084459.tif 000003
【図２】
2010084459.tif 000004
【図３】
2010084459.tif 000005
【図４】
2010084459.tif 000006
【図５】
2010084459.tif 000007
【図６】
2010084459.tif 000008